(57)【要約】      （修正有）【課題】表裏面を確実に識別することができるワイパーを提供する。【解決手段】吸液性、保液性又は拭き取り性の少なくとも１つが表裏面で異なる長方形状のワイパー１であって、隅角部２の１つを切除するように形成された表裏識別辺４を有するワイパー１である。このワイパー１において、表裏識別部４は、隅角部２を斜め方向に直線状に切除した形状であることが好ましい。【選択図】図１
0003142403.tif 000002
【実用新案登録請求の範囲】
【請求項１】
吸液性、保液性又は拭き取り性の少なくとも１つが表裏面で異なる長方形状のワイパーであって、
隅角部の１つを切除するように形成された表裏識別部を有するワイパー。
【請求項２】
前記表裏識別部は、前記隅角部を斜め方向に直線状に切除した形状である請求項１に記載のワイパー。
【考案の詳細な説明】
【技術分野】
【０００１】
本考案は、拭き取り面に付着した水や油などを拭き取るワイパーに関する。
【背景技術】
【０００２】
ワイパーは、クリーンルームなどに設置された装置や器具の拭き取り面に付着した水や油などを拭き取るものである。従来、このようなワイパーとして、特許文献１に開示されているようなワイパーが知られていた。
【０００３】
図４に示すように、このワイパー１００は、吸液性を有する吸収体１０３と、吸収体１０３の表面に配置された表面材１０１と、吸収体１０３の裏面に配置された裏面材１０２とを備えている。このようなワイパー１００は、通常、方形状に形成されている。
【０００４】
また、ワイパー１００は、表裏面における繊維の状態が異なることにより、吸液性（保液性）や拭き取り性が表裏面で異なっている。具体的には、表面材１０１が親水性の不織布から形成されており、裏面材１０２が非親水性の不織布から形成されていることにより、ワイパー１００の表裏面の性能が異なっている。そこで、良好な拭き取りを行うためには、ワイパー１００の表裏面を識別することが必要であった。
【特許文献１】特開平１１−２８１８２号公報
【考案の開示】
【考案が解決しようとする課題】
【０００５】
しかし、上述のようなワイパー１００では、目視によって表裏面の違いを把握することが難しく、一見して表裏面を識別することができないという問題があった。
【０００６】
本考案は、上記問題を解決するためになされたものであって、表裏面を確実に識別することができるワイパーの提供を目的とする。
【課題を解決するための手段】
【０００７】
本考案の前記目的は、吸液性、保液性又は拭き取り性の少なくとも１つが表裏面で異なる長方形状のワイパーであって、隅角部の１つを切除するように形成された表裏識別部を有するワイパーにより達成される。
【０００８】
また、上記ワイパーにおいては、前記表裏識別部が、前記隅角部を斜め方向に直線状に切除した形状であることが好ましい。
【考案の効果】
【０００９】
本考案のワイパーによれば、表裏面を確実に識別することができる。
【考案を実施するための最良の形態】
【００１０】
以下、本考案の実施形態について添付図面を参照して説明する。図１は、本考案の一実施形態に係るワイパーを上から見た図である。
【００１１】
図１に示すように、このワイパー１は、表裏面を有する長方形状の編物から形成されており、長方形状の隅角部２の１つを切除するように形成された表裏識別辺４を有している。ワイパー１は、互いに対向する短辺３、３及び長辺５、５を備えており、１つの短辺３から隣接する長辺５に向かって直線状に切除されることにより、１つの隅角部２が欠損した形状に形成されている。表裏識別辺４は、加工性の観点から、直線状であることが好ましい。また、表裏識別辺４は、長方形状の隅角部２を斜め方向に切除したことにより、短辺３及び長辺５に対して傾斜している。短辺３及び長辺５の長さは、ワイパー１の使用目的に応じて適宜変更可能である。
【００１２】
ワイパー１に用いられる材質としては、綿及び麻等の天然繊維、ポリエステル、ナイロン、及び、アクリル等の合成繊維、レーヨン及びキュプラ等の再生繊維、並びに、天然繊維、合成繊維、及び、再生繊維等の各種繊維を組み合わせたものを例示できるが、本実施形態では、ポリエステルを用いている。
【００１３】
ワイパー１は、表裏面における繊維の状態が異なっている。これは、ワイパー１を製造する過程において、表裏面における繊維同士の隙間や、絡み合いなどに相違が生じ、繊維の密度や構造の相違が生じるからである。これにより、ワイパー１の表裏面で吸液性、保液性、又は、拭き取り性の少なくとも１つが異なっている。例えば、ワイパー１がポリエステルから製造されている場合、表裏面における繊維の密度の相違により、毛細管現象による吸液量が異なり、吸液性に違いが生じる。また、繊維の密度の相違により、拭き取り面と繊維との接触状態が異なることから、拭き取り性に相違が生じる。また、表裏面における編み方向の相違によっても、拭き取り性が異なる。本実施形態では、ワイパー１の表面が裏面に比べて、吸液性及び拭き取り性において優れている。また、ワイパー１の表裏面で強度等が異なる場合もある。
【００１４】
ワイパー１の表裏面の吸液性については、例えば、ＪＩＳ−Ｌ−１９０７に規定する試験（バイレック試験）に準じて測定することができる。また、保液性については、例えば、ＪＩＳ−Ｌ−１９１２に規定する試験に準じて測定することができる。また、拭き取り性については、例えば、特開２００７−４０７９２号公報に記載の拭き取り性試験に準じて測定することができる。
【００１５】
図２は、ワイパー１の表面の拡大図であり、図３は、ワイパー１の裏面の拡大図である。図２及び図３に示すように、ワイパー１の表裏面で繊維の密度や構造が異なっている。
【００１６】
次に、以上のような構成を備えるワイパー１により、表裏面を識別する方法を説明する。
【００１７】
まず、図１に示すように、短辺３が横方向（図１中のＸ軸方向）と平行し、長辺５が縦方向（図１中のＹ軸方向）と平行するように、ワイパー１を配置する。また、表裏識別辺４が紙面上方（図１中のＹ軸の正方向）を向くようにワイパー１を配置する。このとき、表裏識別辺４は紙面左方向（図１中のＸ軸の負方向）を向くように配置される。この状態において、ワイパー１の表面は、紙面上面（紙面の手前側）に位置する。また、ワイパー１の裏面は、紙面下面（紙面の奥側）に位置する。これにより、ワイパー１の表裏面がどの方向を向いているかを識別することができる。
【００１８】
また、上述とは反対に、表裏識別辺４が紙面右方向（図１中のＸ軸の正方向）を向くように配置された場合は、ワイパー１を裏返した状態となり、ワイパー１の表面が紙面下面（紙面の奥側）に位置し、ワイパー１の裏面が紙面上面（紙面の手前側）に位置する。これにより、ワイパー１の表裏面がどの方向を向いているかを識別することができる。
【００１９】
このように、本実施形態に係るワイパー１によれば、吸液性及び拭き取り性が表裏面で異なっており、長方形状の隅角部２の１つを切除するように形成された表裏識別辺４を有するので、長方形状の短辺３及び長辺５を所定方向に配置したときの表裏識別辺４の位置を認識することにより、ワイパー１の表裏面を確実に識別することができる。
【００２０】
以上、本考案の一実施形態について説明したが、本考案の具体的な態様は、上記実施形態に限定されるものではない。
【００２１】
例えば、上記実施形態では、ワイパー１は、編物から構成されていたが、表裏面の吸液性又は拭き取り性が異なればこれに限定されず、織物、不織布、または、それらの組み合わせ等から構成されていてもよい。
【００２２】
また、上記実施形態では、表裏識別辺４が直線状であったが、この形状は、長方形状の隅角部２の１つが切除された形状であれば特に限定されず、湾曲していてもよい。
【００２３】
また、ワイパー１の使用方法は特に限定されず、例えば、乾燥状態のワイパー１を用いて拭き取り面を乾拭きすることや、ワイパー１自体に予め液体を含浸させておき、湿潤状態のワイパー１により拭き取り面を拭き取ることができる。ワイパー１に含浸させる液体としては、エタノール等のアルコール、トルエン等の有機溶剤、又は、純水などを例示できる。
【図面の簡単な説明】
【００２４】
【図１】本考案の一実施形態に係るワイパーを上から見た図である。
【図２】ワイパーの表面の拡大図である。
【図３】ワイパーの裏面の拡大図である。
【図４】従来のワイパーの斜視図である。
【符号の説明】
【００２５】
１  ワイパー
２  隅角部
３  短辺
４  表裏識別辺
５  長辺
【図１】
0003142403.tif 000003
【図４】
0003142403.tif 000004
【図２】
0003142403.tif 000005
【図３】
0003142403.tif 000006